(57)【特許請求の範囲】
【請求項１】
エアコン室外機を載置するための室外機置台であって、
支柱（２ａ〜２ｄ）と、
前記支柱（２ａ〜２ｄ）が延びる方向と交差する方向に略水平に配置されるフレーム（４ａ〜４ｄ、２４ａ〜２４ｄ）と、
前記支柱（２ａ〜２ｄ）に固定され、前記フレーム（４ａ〜４ｄ、２４ａ〜２４ｄ）の一端側を支持するためのポスト部材（８、１８）と
を有し、
前記ポスト部材（８、１８）は、
前記フレーム（４ａ〜４ｄ、２４ａ〜２４ｄ）の一端側を下方から支えるための支持部（８ｆ、１８ｃ）と、
前記支持部（８ｆ、１８ｃ）から前記支柱（２ａ〜２ｄ）に沿って下方に垂下がった垂下がり部（８ｇ、１８ｄ）と
を備え、
前記支持部（８ｆ）は、前記フレーム（４ａ〜４ｄ、２４ａ〜２４ｄ）の一端側を上方から受入れるための断面形状が略Ｕ字状のＵ字状部（８ｆ）を含み、
前記フレーム（２４ａ〜２４ｄ）は、前記支持部（１８ｃ）を上方から覆うための覆い部（５４）を含む、室外機置台。
【請求項２】
前記フレーム（４ａ〜４ｄ、２４ａ〜２４ｄ）の一端側が前記支持部（８ｆ、１８ｃ）に下方から支持された状態で、前記ポスト部材（８、１８）と前記フレーム（４ａ〜４ｄ、２４ａ〜２４ｄ）とを固定する固定部材（１２、１５）を備え、
前記ポスト部材（８、１８）および前記フレーム（４ａ〜４ｄ、２４ａ〜２４ｄ）は、前記ポスト部材（８、１８）と前記フレーム（４ａ〜４ｄ、２４ａ〜２４ｄ）とを貫通する少なくとも２つの貫通孔（８ａ、８ｂ、４４ａ、４４ｂ、１８ａ、１８ｂ、３４ａ、３４ｂ）をそれぞれ含み、
前記固定部材（１２、１５）は、
前記貫通孔（８ａ、８ｂ、４４ａ、４４ｂ、１８ａ、１８ｂ、３４ａ、３４ｂ）に挿通される雄ねじ部（１２）と、
前記雄ねじ部（１２）に螺合する雌ねじ部（１５）と
を含む、請求項１記載の室外機置台。
【請求項３】
前記固定部材（１５）は皿型座金（１５）を含む、請求項２記載の室外機置台。
【請求項４】
前記貫通孔（８ａ、８ｂ、４４ａ、４４ｂ、１８ａ、１８ｂ、３４ａ、３４ｂ）は角孔（８ａ、８ｂ、４４ａ、４４ｂ、１８ａ、１８ｂ、３４ａ、３４ｂ）を含み、
前記雄ねじ部（１２）は前記角孔（８ａ、８ｂ、４４ａ、４４ｂ、１８ａ、１８ｂ、３４ａ、３４ｂ）に嵌合する角柱部（１２ａ）を含む、請求項２または３に記載の室外機置台。
【請求項５】
前記角柱部（１２ａ）はテーパ部分を含む、請求項４記載の室外機置台。
【請求項６】
前記雌ねじ部（１５）は前記皿型座金（１５）と一体化された皿型座金ナット（１５）を含む、請求項２〜５のいずれかに記載の室外機置台。
【請求項７】
前記フレーム（４ａ〜４ｄ、２４ａ〜２４ｄ）および前記ポスト部材（８、１８）のうちの一方は、一方を他方に係止するための爪部（８ｅ、４４ｃ）を含み、
他方は、前記爪部（８ｅ、４４ｃ）を留めるための留め部（８ｃ、４４ｄ）を含む、請求項１〜６のいずれかに記載の室外機置台。
【請求項８】
エアコン室外機を載置するための室外機置台であって、
支柱（２ａ〜２ｄ）と、
前記支柱（２ａ〜２ｄ）が延びる方向と交差する方向に略水平に配置されるフレーム（４ａ〜４ｄ、２４ａ〜２４ｄ）と、
前記支柱（２ａ〜２ｄ）に固定され、前記フレーム（４ａ〜４ｄ、２４ａ〜２４ｄ）の一端側を支持するためのポスト部材（８、１８）と、
前記ポスト部材（８、１８）と前記フレーム（４ａ〜４ｄ、２４ａ〜２４ｄ）とを固定する固定部材（１２、１５）と
を備え、
前記ポスト部材（８、１８）は、前記フレーム（４ａ〜４ｄ、２４ａ〜２４ｄ）の一端側を下方から支えるための支持部（８ｆ、１８ｃ）を含み、
前記ポスト部材（８、１８）および前記フレーム（４ａ〜４ｄ、２４ａ〜２４ｄ）は、前記フレーム（４ａ〜４ｄ、２４ａ〜２４ｄ）の一端側が前記支持部（８ｆ、１８ｃ）に下方から支持された状態で、前記ポスト部材（８、１８）と前記フレーム（４ａ〜４ｄ、２４ａ〜２４ｄ）とを貫通する少なくとも２つの貫通孔（８ａ、８ｂ、４４ａ、４４ｂ、１８ａ、１８ｂ、３４ａ、３４ｂ）をそれぞれ含み、
前記固定部材（１２、１５）は、
前記貫通孔（８ａ、８ｂ、４４ａ、４４ｂ、１８ａ、１８ｂ、３４ａ、３４ｂ）に挿通される雄ねじ部（１２）と、
前記雄ねじ部（１２）に螺合する雌ねじ部（１５）と
を含む、室外機置台。
【発明の詳細な説明】
【０００１】
【発明の属する技術分野】
本発明は室外機置台に関し、特に、高い剛性が得られるとともに見栄えが良くなる室外機置台に関するものである。
【０００２】
【従来の技術】
エアコン室外機を屋外に設置する際に、室外機置台が使われる。そのような従来の室外機置台の一例として、図２１に示された室外機置台について説明する。
【０００３】
図２１に示すように、従来の室外機置台では、所定の間隔をおいて平行に立設された２本の支柱１０２ａ、１０２ｂの間をわたすように２本の縦フレーム１０６ａ、１０６ｄが上部と下部とにそれぞれ取付けられている。同様に、２本の支柱１０２ｃ、１０２ｄの間をわたすように２本の縦フレーム１０６ｂ、１０６ｃが上部と下部とにそれぞれ取付けられている。
【０００４】
室外機(図示せず)を挟んで対向する支柱１０２ａ、１０２ｄの間をわたすように、２本の横フレーム１０４ａ、１０４ｄが上部と下部とにそれぞれ取付けられている。また、同様にして、支柱１０２ｂ、１０２ｃの間をわたすように、２本の横フレーム１０４ｂ、１０４ｃが上部と下部とにそれぞれ取付けられている。
【０００５】
横フレーム１０４ａの一端側は、支柱１０２ａの上部に設けられた受け部１０３に受入れられている。横フレーム１０４ａの一端側が受け部１０３ａに受入れられた状態で、１本のボルト１１０およびナット１１１により両者が固定されている。
【０００６】
横フレーム１０４ａの他端側も支柱１０２ｄに設けられた受け部１０３に受入れられた状態で、１本のボルトとナット（いずれも図示せず）により固定される。他の横フレーム１０４ｂ〜１０４ｄについても、それぞれの端部が受け部１０３に受入れられて、１本のボルトとナットにより固定されている。
【０００７】
横フレーム１０４ａ、１０４ｂの間をわたすように１対のベース１０８（一部図示せず）が配置されている。エアコン室外機はこの１対のベース１０８上に載置される。従来の室外機置台は上記のように構成されていた。
【０００８】
【発明が解決しようとする課題】
しかしながら、上述した従来の室外機置台では、以下に示すような問題があった。図２１に示すように、支柱１０２ａ〜１０２ｄと横フレーム１０４ａ〜１０４ｄとの固定は、受け部１０３ａに横フレーム１０４ａ〜１０４ｄのそれぞれの端部を受入れた状態で１本のボルト１１０とナット１１１とにより固定される。
【０００９】
このように、１本のボルトとナットにより支柱と横フレームとが固定されるため、室外機置台としての剛性が十分ではなく、また、ねじれも起こしやすい。このため、室外機置台を補強するために、補強板（筋交い）１０９ａ、１０９ｂが、たとえば支柱１０２ａに設けられた受け部１０３と支柱１０２ｄの下部との間をわたすように取付けられた。その結果、室外機置台として見栄えが悪く、下段の室外機のメンテナンス時に邪魔になった。また、メンテナンスのために補強板１０９ａ、１０９ｂを外すと室外機置台の強度が落ちて、室外機置台が崩れるおそれがあった。
【００１０】
本発明は上記問題点を解決するためになされたものであり、見栄えが良く、メンテナンス性もよく、しかも十分な剛性が得られる室外機置台を提供することを目的とする。
【００１１】
【課題を解決するための手段】
請求項１に記載された室外機置台は、エアコン室外機を載置するための室外機置台であって、支柱と、フレームと、ポスト部材とを有している。フレームは支柱が延びる方向と交差する方向に略水平に配置される。ポスト部材は支柱に固定され、フレームの一端側を支持する。ポスト部材は、フレームの一端側を下方から支えるための支持部と、その支持部から支柱に沿って下方に垂下がった垂下がり部とを備えている。支持部は、フレームの一端側を上方から受入れるための断面形状が略Ｕ字状のＵ字状部を含み、フレームは、支持部を上方から覆うための覆い部を含んでいる。
【００１２】
請求項１に記載された室外機置台によれば、支柱に固定されたポスト部材の支持部によりフレームが下方から支持されることで、支柱とフレームとの取付部分の剛性が向上する。その結果、従来の室外機置台と比較すると、剛性が向上して室外機置台を補強するための筋交いなどの補強部材が不要となり、見栄えがよくなる。また、支持部はフレームの一端側を上方から受入れるための断面形状が略Ｕ字状のＵ字状部を含んでいることで、支持部のＵ字状部によりフレームを容易に受入れてフレームを支持することができる。さらに、フレームは支持部を上方から覆うための覆い部を含んでいることで、フレームを容易に支持することができる。
【００１７】
請求項２に記載された室外機置台では、フレームの一端側が支持部に下方から支持された状態で、ポスト部材とフレームとを固定する固定部材を備えている。ポスト部材およびフレームは、ポスト部材とフレームとを貫通する少なくとも２つの貫通孔をそれぞれ含んでいる。固定部材は、貫通孔に挿通される雄ねじ部と、その雄ねじ部に螺合する雌ねじ部とを含んでいる。
【００１８】
請求項２に記載された室外機置台によれば、ポスト部材とフレームとを貫通する少なくとも２つの貫通孔に固定部材の雄ねじ部が挿通されて雌ねじ部で固定されることで、ポスト部材とフレームとがより強固に固定されて室外機置台の剛性がさらに向上する。
【００１９】
請求項３に記載された室外機置台では、固定部材は皿型座金を含んでいる。
請求項３に記載された室外機置台によれば、ポスト部材とフレームとの締付け強度を向上することができる。
【００２０】
請求項４に記載された室外機置台では、貫通孔は角孔を含み、雄ねじ部はその角孔に嵌合する角柱部を含んでいる。
【００２１】
請求項４に記載された室外機置台によれば、雄ねじ部の角柱部が角穴に嵌合することで、ポスト部材とフレームとの間にガタが生じるのを防止することができる。
【００２２】
請求項５に記載の室外機置台では、角柱部はテーパ部分を含んでいる。
請求項５に記載された室外機置台によれば、角柱部を角穴に容易に嵌合することができる。
【００２３】
請求項６に記載の室外機置台では、雌ねじ部は前記皿型座金と一体化された皿型座金ナットを含んでいる。
【００２４】
請求項６に記載された室外機置台によれば、雌ねじ部を雄ねじ部に螺合する際に皿型座金を装着するのを忘れたり、紛失したりするのを防止することができる。
【００２５】
請求項７に記載の室外機置台では、フレームおよびポスト部材のうちの一方は、一方を他方に係止するための爪部を含んでいる。他方はその爪部を留めるための留め部を含んでいる。
【００２６】
請求項７に記載された室外機置台によれば、ポスト部材とフレームとを容易に仮留することができて室外機置台の組立が容易になる。
【００２７】
請求項８に記載された室外機置台は、エアコン室外機を載置するための室外機置台であって、支柱と、フレームと、ポスト部材と、固定部材とを備えている。フレームは、支柱が延びる方向と交差する方向に略水平に配置される。ポスト部材は、支柱に固定され、フレームの一端側を支持する。固定部材は、ポスト部材とフレームとを固定する。そのポスト部材は、フレームの一端側を下方から支えるための支持部を含んでいる。ポスト部材およびフレームは、フレームの一端側が支持部に下方から支持された状態で、ポスト部材とフレームとを貫通する少なくとも２つの貫通孔をそれぞれ含んでいる。固定部材は、貫通孔に挿通される雄ねじ部と、その雄ねじ部に螺合する雌ねじ部とを含んでいる。
【００２８】
請求項８に記載された室外機置台によれば、支柱に固定されたポスト部材の支持部によりフレームが下方から支持され、そして、固定部材により支柱とフレームとが少なくとも２ヶ所の部分で固定されることで取付部分の剛性が向上する。その結果、従来の室外機置台と比較すると、剛性が向上して室外機置台を補強するための筋交いなどの補強部材が不要となり、見栄えがよくなる。
【００２９】
【発明の実施の形態】
実施の形態１
本発明の実施の形態１に係る室外機置台について説明する。図１に示すように、本室外機置台では、一定の間隔を隔てて２本の支柱２ａ、２ｂが立設されている。その２本の支柱２ａ、２ｂの間をわたすように縦フレーム６ａ、６ｄがそれぞれ上部と下部に取付けられている。室外機（図示せず）を挟んで支柱２ａ、２ｂと対向する位置に２本の支柱２ｄ、２ｃがそれぞれ立設されている。その支柱２ｄ、２ｃの間をわたすように縦フレーム６ｂ、６ｃがそれぞれ上部と下部に取付けられている。
【００３０】
また、室外機を挟んで対抗する支柱２ａと支柱２ｄとの間をわたすように横フレーム４ａ、４ｄがそれぞれ上部と下部に取付けられている。同様に、支柱２ｂと支柱２ｃとの間をわたすように横フレーム４ｂ、４ｃがそれぞれ上部と下部に取付けられている。
【００３１】
また、横フレーム４ａと横フレーム４ｂとの間をわたすように１対のベース１０ａ、１０ｂが取付けられている。エアコン室外機（図示せず）は、防振ゴム（図示せず）を介在させてベース１０ａ、１０ｂ上に載置される。
【００３２】
特に、本室外機置台では、支柱２ａ〜２ｄにおいて、図２〜図４に示すように、横フレーム４ａ〜４ｄのそれぞれの端部を受入れるためのポスト８が上部と下部とに溶接固定されている。ポスト８は、横フレーム４ａ〜４ｄのそれぞれの端部を上方から受入れるための略Ｕ字状のＵ字状部８ｆと、そのＵ字状部８ｆから支柱２ａ〜２ｄに沿って下方に延びる垂下がり部８ｇとを有している。また、ポスト８には、２つの角孔８ａ、８ｂがそれぞれ形成されている。
【００３３】
一方、図５に示すように、横フレーム４ａ〜４ｄのそれぞれの端部には、横フレーム４ａ〜４ｄのそれぞれの端部に受入れられた状態でポスト８に形成された角孔８ａ、８ｂと繋がる角孔４４ａ、４４ｂが設けられている。
【００３４】
さらに、横フレーム４ａ〜４ｄのそれぞれの端部には、横フレーム４ａ〜４ｄをポスト８に仮留めするための爪部４４ｃが設けられている。この爪部４４ｃは、ポスト８に設けられた留め部８ｃに係止される。なお、図７に示すようにポスト８に爪８ｅを設け、図６に示すように、横フレーム４ａ〜４ｄのそれぞれの端部に爪部８ｅが係止される留め部４４ｄを設けることでも、両者を仮留めすることができて組立が容易になる。
【００３５】
次に、上述した室外機置台の組立手順について説明する。図８に示すように、まず、２本の支柱２ａ、２ｂと縦フレーム６ａ、６ｄを溶接した組立体と、２本の支柱２ｃ、２ｄと縦フレーム６ｂ、６ｃを溶接させた組立体とを室外機（図示せず）を挟んで対向するように配置する。横フレーム４ａの一方の端部を支柱２ａの上部に溶接されたポスト８のＵ字状部８ｆに受入れる。そして、横フレーム４ａの他方の端部を支柱２ｄの上部に設けられたポスト８のＵ字状部８ｆに受入れる。
【００３６】
このとき、横フレーム４ａのそれぞれの端部に設けられた爪部４４ｃがポスト８に設けられた留め部８ｃに係止されることで、支柱２ａ、２ｄと横フレーム４ａとの仮留めがなされる。同様に、横フレーム４ｂの一方の端部を支柱２ｂの上部に設けられたポスト８のＵ字状部８ｆに受入れ、他方の端部を支柱２ｃの上部に設けられたポスト８のＵ字状部８ｆに受入れて仮留めをする。
【００３７】
次に、横フレーム４ａがポスト８に受入れられた状態で、ポスト８に設けられた角孔８ａ、８ｂと横フレーム４ａに設けられた角孔４４ａ、４４ｂにボルト１２を挿通する。そのボルト１２に皿型座金ナット１５を螺合して横フレーム４ａの一端側と支柱２ｄの上部とを固定する。横フレーム４ａの他端側についても同様にボルトと皿型座金ナット（いずれも図示せず）により固定する。
【００３８】
そして、同様に横フレーム４ｂのそれぞれの端部をボルトと皿型座金ナット（いずれも図示せず）によりポスト８にそれぞれ固定する。また、横フレーム４ｄ、４ｃ（図示せず）についてもそれぞれの端部をポスト８に固定する。このようにして、室外機置台の組立が完了し、図１に示す室外機置台が得られる。
【００３９】
上述した室外機置台によれば、各支柱２ａ〜２ｄと横フレーム４ａ〜４ｄのそれぞれの端部は、少なくとも２本のボルト１２とそのボルト１２に螺合する皿型座金ナット１５により固定されることで、室外機置台の剛性が大幅に向上する。また、室外機置台のねじれもなくすことができる。
【００４０】
また、図９および図１０に示すように、ボルト１２として角根１２ａを有するボルト１２を用いることで、この角根１２ａがポスト８に設けられた角孔８ａ、８ｂおよび横フレーム４ａ〜４ｄのそれぞれの端部に設けられた角孔４４ａ、４４ｂに嵌まって、支柱２ａ〜２ｄと横フレーム４ａ〜４ｄとをより強固に固定することができて、ガタツキを防止することができる。
【００４１】
特に、ボルト１２の角根１２ａとしてテーパが設けられたものを適用することで、容易に角孔８ａ、８ｂ、４４ａ、４４ｂに嵌めて固定することができる。
【００４２】
また、ナットとして、図１１に示すように皿型座金ナット１５を適用することで締付けをより増すことができるとともに、皿型座金を装着するのを忘れたり、紛失したりするのを防止することができる。
【００４３】
このようにして本室外機置台では、十分な剛性が得られるとともに、従来の室外機置台のような補強板は不要になって、室外機の見栄えが良くなる。
【００４４】
実施の形態２
本発明の実施の形態２に係る室外機置台について説明する。図１２に示すように、本室外機置台では、室外機（図示せず）を挟んで対抗する支柱２ａと支柱２ｄとの間をわたすように横フレーム２４ａ、２４ｄがそれぞれ上部と下部に取付けられている。同様に、支柱２ｂと支柱２ｃとの間をわたすように横フレーム２４ｂ、２４ｃがそれぞれ上部と下部に取付けられている。
【００４５】
特に、本室外機置台では、支柱２ａ〜２ｄにおいて、図１３〜図１５に示すように、横フレーム２４ａ〜２４ｄのそれぞれの端部を支持するためのポスト１８が溶接固定されている。ポスト１８では、横フレーム２４ａ〜２４ｄを下方から支持するための支持部１８ｃと、その支持部１８ｃから支柱に沿って下方に延びる垂下がり部１８ｄとを有している。なお、このポスト１８においては、折り曲げ加工の際にしわが発生するのを防止するための切り欠けは、特に設けられていない。
【００４６】
一方、図１６に示すように、横フレーム２４ａ〜２４ｄのそれぞれの両端部分には、ポスト１８の支持部１８ｃを上から覆うための覆い部５４が設けられている。
【００４７】
また、ポスト１８には２つの角孔１８ａ、１８ｂがそれぞれ形成されている。また、横フレーム２４ａ〜２４ｄのそれぞれの両端部には、横フレーム２４ａ〜２４ｄのそれぞれの端部に設けられた覆い部が支持部１８ｃを覆った状態でその角穴１８ａ、１８ｂと繋がる角孔３４ａ、３４ｂが設けられている。
【００４８】
なお、これ以外の構成については実施の形態１において説明した図１に示す室外機置台と同様なので、同一部材には同一符号を付しその説明を省略する。
【００４９】
次に、上述した室外機置台の組立手順について説明する。基本的な組立は、実施の形態１において説明した組立手順と同様である。特に、この室外機置台の場合では、たとえば横フレーム２４ａの一方の端部の覆い部５４を、支柱２ａの上部に溶接されたポスト１８の支持部１８ｃに被せる。そして、横フレーム２４ａの他方の端部の覆い部５４を、支柱２ｄの上部に設けられたポスト１８の支持部１８ｃに被せる。他の横フレーム２４ｂ〜２４ｄについてもそれぞれの端部の覆い部５４をポスト１８の支持部１８ｃに被せる。
【００５０】
横フレーム２４ａの覆い部をポスト８の支持部１８ｃに被せた状態で、角根ボルトを横フレーム２４ａに設けられた角孔３４ａ、３４ｂとポスト１８に設けられた角孔１８ａ、１８ｂとに挿通する。そして、図１７に示すように、角根ボルトに皿型座金ナットを螺合して横フレーム４ａの一端側と支柱２ｄの上部とを固定する。
【００５１】
横フレーム４ａの他端側についても同様にボルトと皿型座金ナット（いずれも図示せず）により固定する。他の横フレーム２４ｂ〜２４ｄとポスト１８についても同様にして固定する。このようにして、室外機置台の組立が完了し、図１２に示す室外機置台が得られる。
【００５２】
上述した室外機置台によれば、実施の形態１において説明したように、各支柱２ａ〜２ｄと横フレーム２４ａ〜２４ｄのそれぞれの端部は、少なくとも２本の角根ボルト１２とそのボルト１２に螺合する皿型座金ナット１５によってより強固に固定されて、室外機置台の剛性が大幅に向上する。また、室外機置台の捻れもなくすことができる。
【００５３】
このようにして本室外機置台においても、十分な剛性が得られるとともに、従来の室外機置台のような筋交いなどの補強板は不要になって、室外機置台の見栄えが良くなる。
【００５４】
また、ポストとしては、上述したポストの他に、たとえば図１８または図１９に示すように、支柱が延びる方向だけでなくポストが延びる方向に沿っても垂下がり部５８ａ、６８ａが延長されたポスト５８、６８をそれぞれ適用してもよい。
【００５５】
特に図１８に示すポスト５８の場合には、横フレーム４ａ等はポスト５８の内側に設けられたストッパ部材５８ｂによって支持される。
【００５６】
さらに、図２０に示すように、垂下がり部７８ｂを含む側面の形状が略三角形のポスト７８を用いてもよい。なお、図１９および図２０に示すポスト６８、７８では、横フレーム４ａがポスト６８、７８を覆っているが、図１８に示すポスト５８のように、下方から横フレーム４ａを覆うようなポストであってもよい。いずれのポスト５８、６８、７８を用いても、実施の形態１または実施の形態２において説明した効果と同様の効果を得ることができる。
【００５７】
また、ポストと支柱とは溶接により固定される場合について説明したが、ボルト等によって固定されてもよい。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５９】
【発明の効果】
請求項１に記載された室外機置台によれば、支柱に固定されたポスト部材の支持部によりフレームが下方から支持されることで、支柱とフレームとの取付部分の剛性が向上する。その結果、従来の室外機置台と比較すると、剛性が向上して室外機置台を補強するための筋交いなどの補強部材が不要となり、見栄えがよくなる。また、支持部はフレームの一端側を上方から受入れるための断面形状が略Ｕ字状のＵ字状部を含んでいることで、支持部のＵ字状部によりフレームを容易に受入れてフレームを支持することができる。さらに、フレームは支持部を上方から覆うための覆い部を含んでいることで、フレームを容易に支持することができる。
【００６２】
請求項２に記載された室外機置台によれば、ポスト部材とフレームとを貫通する少なくとも２つの貫通孔に固定部材の雄ねじ部が挿通されて雌ねじ部で固定されることで、ポスト部材とフレームとがより強固に固定されて室外機置台の剛性がさらに向上する。
【００６３】
請求項３に記載された室外機置台によれば、ポスト部材とフレームとの締付け強度を向上することができる。
【００６４】
請求項４に記載された室外機置台によれば、雄ねじ部の角柱部が角穴に嵌合することで、ポスト部材とフレームとの間にガタが生じるのを防止することができる。
【００６５】
請求項５に記載された室外機置台によれば、角柱部を角穴に容易に嵌合することができる。
【００６６】
請求項６に記載された室外機置台によれば、雌ねじ部を雄ねじ部に螺合する際に皿型座金を装着するのを忘れたり、紛失したりするのを防止することができる。
【００６７】
請求項７に記載された室外機置台によれば、ポスト部材とフレームとを容易に仮留することができて室外機置台の組立が容易になる。
【００６８】
請求項８に記載された室外機置台によれば、支柱に固定されたポスト部材の支持部によりフレームが下方から支持され、そして、固定部材により支柱とフレームとが少なくとも２ヶ所の部分で固定されることで取付部分の剛性が向上する。その結果、従来の室外機置台と比較すると、剛性が向上して室外機置台を補強するための筋交いなどの補強部材が不要となり、見栄えがよくなる。
【図面の簡単な説明】
【図１】  本発明の実施の形態１に係る室外機置台の斜視図である。
【図２】  同実施の形態において、室外機置台のポストを示す正面図である。
【図３】  同実施の形態において、室外機置台のポストを示す一側面図である。
【図４】  同実施の形態において、室外機置台のポストを示す他の側面図である。
【図５】  同実施の形態において、横フレームの端部の部分を示す部分斜視図である。
【図６】  同実施の形態において、横フレームの端部の部分を示す他の斜視図である。
【図７】  同実施の形態において、ポストの部分を示す斜視図である。
【図８】  同実施の形態における室外機置台の分解斜視図である。
【図９】  同実施の形態において、支柱と横フレームとを固定するためのボルトの斜視図である。
【図１０】  同実施の形態において、図９に示すボルトと螺合される皿型座金ナットを示す斜視図である。
【図１１】  同実施の形態において、ポストと横フレームとが固定された状態を示す部分断面図である。
【図１２】  本発明の実施の形態２に係る室外機置台の斜視図である。
【図１３】  同実施の形態において、室外機置台のポストを示す正面図である。
【図１４】  同実施の形態において、室外機置台のポストを示す一側面図である。
【図１５】  同実施の形態において、室外機置台のポストを示す他の側面図である。
【図１６】  同実施の形態において、室外機置台の横フレームを示す斜視図である。
【図１７】  同実施の形態において、ポストと横フレームとが固定された状態を示す部分断面図である。
【図１８】  実施の形態１および実施の形態２に係る室外機置台に用いられるポスト部材の一変形例を示す側面図である。
【図１９】  実施の形態１および実施の形態２に係る室外機置台に用いられるポスト部材の他の変形例を示す側面図である。
【図２０】  実施の形態１および実施の形態２に係る室外機置台に用いられるポスト部材のさらに他の変形例を示す側面図である。
【図２１】  従来の室外機置台の分解斜視図である。
【符号の説明】
２ａ〜２ｄ  支柱、４ａ〜４ｄ、２４ａ〜２４ｄ  横フレーム、６ａ〜６ｄ  縦フレーム、８、１８  ポスト、１０ａ、１０ｂ  ベース、１２  ボルト、１２ａ  角根、１３  ナット、１５  皿型座金ナット。
【図１】
0004717187.tif 000002
【図２】
0004717187.tif 000003
【図３】
0004717187.tif 000004
【図４】
0004717187.tif 000005
【図５】
0004717187.tif 000006
【図６】
0004717187.tif 000007
【図７】
0004717187.tif 000008
【図８】
0004717187.tif 000009
【図９】
0004717187.tif 000010
【図１０】
0004717187.tif 000011
【図１１】
0004717187.tif 000012
【図１２】
0004717187.tif 000013
【図１３】
0004717187.tif 000014
【図１４】
0004717187.tif 000015
【図１５】
0004717187.tif 000016
【図１６】
0004717187.tif 000017
【図１７】
0004717187.tif 000018
【図１８】
0004717187.tif 000019
【図１９】
0004717187.tif 000020
【図２０】
0004717187.tif 000021
【図２１】
0004717187.tif 000022